(57)【要約】【課題】  ＦＰＣの分岐部をバックライト装置の導電部材に強固に固定することができ、固定力及び接続抵抗のばらつきを抑え、経時的に固定力が低下しないようにし、また分岐部の導電部材に対する接続抵抗を小さくすること。さらに必要に応じて分岐部を導電部材から取り外すことができるものとすること。【解決手段】  ＬＣＤＬ１は、バックライト装置２と、その発光面側に設けられた液晶表示パネルと、バックライト装置２及び液晶表示パネルの側部を覆う枠体１と、液晶表示パネル及びバックライト装置２に信号を入出力する第１のＦＰＣ１１、第２のＦＰＣ１２及び第３のＦＰＣ１３と、を有し、第１のＦＰＣ１１は、バックライト装置２の導体板１４に伸びるように形成された、配線導体を備えた分岐部11aを有し、分岐部11aがかしめ爪１５によって導体板１４に常時押圧力が付勢されて配線導体が導体板１４に電気的に接続されている。【選択図】  図１
2016102991.tif 000002
【特許請求の範囲】
【請求項１】
バックライト装置と、そのバックライト装置の発光面側に設けられた液晶表示パネルと、前記バックライト装置及び前記液晶表示パネルの側部を覆う枠体と、前記液晶表示パネル及び前記バックライト装置に信号を入出力するための可撓性回路基板と、を有する液晶表示装置であって、前記バックライト装置は、前記発光面と対向する反発光面に導電部材を有しており、前記可撓性回路基板は、前記導電部材に伸びるように形成された、配線導体を備えた分岐部を有するとともに、前記分岐部が押圧部材によって前記導電部材に常時押圧力が付勢されて前記配線導体が前記導電部材に電気的に接続されている液晶表示装置。
【請求項２】
前記押圧部材は、前記反発光面から突出する前記枠体の延出部から成るとともに一端が自由端とされているかしめ爪であり、前記分岐部が前記かしめ爪の一端によって前記導電部材に押圧されている請求項１に記載の液晶表示装置。
【請求項３】
前記押圧部材は螺子であり、前記分岐部に形成された貫通孔を通して前記導電部材の螺子穴に前記螺子がねじ込まれることによって、前記分岐部が前記導電部材に押圧されている請求項１に記載の液晶表示装置。
【請求項４】
前記導電部材は、前記反発光面に積層された、前記反発光面の面積の９０％以上の面積を有する導体板から成る請求項１乃至請求項３のいずれかに記載の液晶表示装置。
【請求項５】
前記分岐部は、前記導電部材に押圧される部位が導電性接合材によって前記導電部材に接合されている請求項１乃至請求項４のいずれかに記載の液晶表示装置。
【請求項６】
前記配線導体は接地用の配線導体であり、前記導電部材は接地電位とされている請求項１乃至請求項５のいずれかに記載の液晶表示装置。
【発明の詳細な説明】
【技術分野】
【０００１】
本発明は、液晶表示パネル、バックライト装置、液晶表示パネルとバックライト装置の外周部を覆ってそれらを固定するフレーム、及び液晶表示パネルとバックライト装置に駆動信号等を入出力するためのフレキシブルプリント回路基板（Flexible  Printed  Circuits  ：ＦＰＣ）を有する液晶表示装置（Liquid  Crystal  Display  ：ＬＣＤ）に関するものである。
【背景技術】
【０００２】
液晶表示パネル、バックライト装置、液晶表示パネル及びバックライト装置の側部を覆ってそれらを固定する枠体（フレーム）、及び液晶表示パネルとバックライト装置に駆動信号等を入出力するためＦＰＣを有するＬＣＤの従来例を図６及び図７に示す。これらの図に示すように、ＬＣＤＬ２は、ＬＥＤ等の発光素子を多数有する直方体状のバックライト装置２２と、そのバックライト装置２２の発光面に載置される液晶表示パネル２３と、バックライト２２及び液晶表示パネル２３の外周部を覆う亜鉛（Ｚｎ）メッキ鋼材，アルミニウム（Ａｌ），ステンレススチール等の金属、合金から成る枠体２１と、を有している。またＬＣＤＬ２は、液晶表示パネル２３及びバックライト装置２２に駆動信号等を入出力する第１のＦＰＣ３１と、バックライト装置２２の発光面と反対側の非発光面（裏面）に実装される第２のＦＰＣ３２と、第１のＦＰＣ３１の信号線と第２のＦＰＣ３２に搭載されたＩＣ等の電子回路部品32a等とを電気的に接続するための第３のＦＰＣ３３と、を有している。
【０００３】
枠体２１は、少なくとも一つの側壁２１ｓの両端部の下端に鉤状の切欠部２１ａ及びその切欠部２１ａの切欠き残部から成るかしめ爪２１ｂが形成されている。バックライト装置２２は、側壁２１ｓに対応する側面２２ｓにかしめ爪２１ｂが折り込まれる凹部２２ａが形成されている。枠体２１は、側壁２１ｓに対向する側壁にも切欠部２１ａ及びかしめ爪２１ｂが形成されている場合がある。また、枠体２１の全ての側壁に切欠部２１ａ及びかしめ爪２１ｂが形成されている場合がある。
【０００４】
第１のＦＰＣ３１は、一端側が液晶表示パネル２３のＩＣ，ＬＳＩ等の駆動用集積回路素子等に電気的に接続され、他端側が外部の駆動回路基板の信号線等に電気的に接続される。また第２のＦＰＣ３２は、バックライト装置２２の駆動、制御等を行う電子回路部品32a等を搭載している。第２のＦＰＣ３２のバックライト装置２２側の面が、両面接着テープ等によって、バックライト装置２２の裏面に設置されたＡｌ等から成る導体板３４に接着されている。さらに、第２のＦＰＣ３２の端部には、接地配線を導体板３４に、導電性粒子を含む導電性接着剤、導電性テープ等によって導電接合させて電気的に接地させるための接地部32bがある。
【０００５】
また他の従来例として、ＦＰＣの分岐部をバックライトの金属枠体に導電性樹脂によって接合しアースに接続した液晶パネルを用いた電子機器が提案されている（例えば、特許文献１を参照）。
【先行技術文献】
【特許文献】
【０００６】
【特許文献１】特開平１１−２８２００１号公報
【発明の概要】
【発明が解決しようとする課題】
【０００７】
図６及び図７に示す上記従来のＬＣＤＬ２においては、第２のＦＰＣ３２の端部の接地部32bが導体板３４に導電性接着剤、導電性テープ等によって導電接合されているために、接合力のばらつきによって接続抵抗がばらつきやすいという問題点があった。また、環境の温度変化、湿度変化等の影響により、導電接合の接合力が経時的に低下しやすいという問題点があった。そのため、第２のＦＰＣ３２の接地部32bが導体板３４から剥がれて電気的な接地がとれなくなる場合があった。また、第２のＦＰＣ３２の接地部32bが、導体板３４に、電気的な抵抗が小さいとはいえない導電性接着剤等によって導電接合されているために、接続抵抗が大きくなる傾向があった。
【０００８】
また、特許文献１の電子機器の場合、ＦＰＣの分岐部をバックライトの金属枠体の上下面にそれぞれ設けた導電性樹脂によって接合しているために、接続抵抗が大きくなる傾向があった。また、金属枠体はバックライトのシール材としても機能しているために、ＦＰＣの分岐部を一旦金属枠体に接合した後には、必要に応じて分岐部を金属枠体から取り外すことが困難となるという問題点があった。
【０００９】
本発明は、上記の問題点に鑑みて完成されたものであり、その目的は、ＦＰＣの分岐部をバックライト装置の導体板等から成る導電部材に機械的に強固に固定することができ、その結果、固定力及び接続抵抗のばらつきを抑えるとともに経時的に固定力が低下しないようにすることである。また、ＦＰＣの分岐部の導体板等に対する接続抵抗を小さくすることである。また、必要に応じて分岐部を導体板等から取り外すことができるようにすることである。
【課題を解決するための手段】
【００１０】
本発明の液晶表示装置は、バックライト装置と、そのバックライト装置の発光面側に設けられた液晶表示パネルと、前記バックライト装置及び前記液晶表示パネルの側部を覆う枠体と、前記液晶表示パネル及び前記バックライト装置に信号を入出力するための可撓性回路基板と、を有する液晶表示装置であって、前記バックライト装置は、前記発光面と対向する反発光面に導電部材を有しており、前記可撓性回路基板は、前記導電部材に伸びるように形成された、配線導体を備えた分岐部を有するとともに、前記分岐部が押圧部材によって前記導電部材に常時押圧力が付勢されて前記配線導体が前記導電部材に電気的に接続されている構成である。
【００１１】
本発明の液晶表示装置は、好ましくは、前記押圧部材は、前記反発光面から突出する前記枠体の延出部から成るとともに一端が自由端とされているかしめ爪であり、前記分岐部が前記かしめ爪の一端によって前記導電部材に押圧されている。
【００１２】
また本発明の液晶表示装置は、好ましくは、前記押圧部材は螺子であり、前記分岐部に形成された貫通孔を通して前記導電部材の螺子穴に前記螺子がねじ込まれることによって、前記分岐部が前記導電部材に押圧されている。
【００１３】
また本発明の液晶表示装置は、好ましくは、前記導電部材は、前記反発光面に積層された、前記反発光面の面積の９０％以上の面積を有する導体板から成る。
【００１４】
また本発明の液晶表示装置は、好ましくは、前記分岐部は、前記導電部材に押圧される部位が導電性接合材によって前記導電部材に接合されている。
【００１５】
また本発明の液晶表示装置は、好ましくは、前記配線導体は接地用の配線導体であり、前記導電部材は接地電位とされている。
【発明の効果】
【００１６】
本発明の液晶表示装置は、バックライト装置と、そのバックライト装置の発光面側に設けられた液晶表示パネルと、バックライト装置及び液晶表示パネルの側部を覆う枠体と、液晶表示パネル及びバックライト装置に信号を入出力するための可撓性回路基板と、を有する液晶表示装置であって、バックライト装置は、発光面と対向する反発光面に導電部材を有しており、可撓性回路基板は、導電部材に伸びるように形成された、配線導体を備えた分岐部を有するとともに、分岐部が押圧部材によって導電部材に常時押圧力が付勢されて配線導体が導電部材に電気的に接続されていることから、可撓性回路基板の分岐部の配線導体をバックライト装置の導電部材に機械的に強固に押圧固定するとともに確実に電気的に接続することができる。その結果、固定力及び接続抵抗が液晶表示装置によってばらつかないとともに、経時的に固定力が低下しないものとなる。また、分岐部の配線導体の導電部材に対する接続抵抗を小さくすることができる。また、必要に応じて分岐部を導電部材から取り外すことができる。
【００１７】
本発明の液晶表示装置は、好ましくは、押圧部材は、反発光面から突出する枠体の延出部から成るとともに一端が自由端とされているかしめ爪であり、分岐部がかしめ爪の一端によって導電部材に押圧されていることから、別個の押圧部材を用いる必要がなく、枠体の延出部から成る簡易な構成のかしめ爪によって分岐部の配線導体を導電部材に押圧固定することができる。また、分岐部の配線導体を枠体に電気的に接続して接地をとること等も行うことができる。
【００１８】
また本発明の液晶表示装置は、好ましくは、押圧部材は螺子であり、分岐部に形成された貫通孔を通して導電部材の螺子穴に螺子がねじ込まれることによって、分岐部が導電部材に押圧されていることから、分岐部の配線導体を導電部材により強固かつ確実に押圧固定することができる。その結果、配線導体と導電部材との接続抵抗をより小さくすることができる。また、分岐部の配線導体を導電部材から必要に応じて取り外すことが容易にできる。
【００１９】
また本発明の液晶表示装置は、好ましくは、導電部材は、反発光面に積層された、反発光面の面積の９０％以上の面積を有する導体板から成ることから、導電部材がバックライト装置の保護部材、放熱部材、電磁遮蔽部材及び接地部材として機能するものとなる。
【００２０】
また本発明の液晶表示装置は、好ましくは、分岐部は、導電部材に押圧される部位が導電性接合材によって導電部材に接合されていることから、押圧部材による押圧力に加えて導電性接合材の接合力を併せることができる。その結果、分岐部の配線導体を導電部材により強固かつ確実に押圧固定することができ、配線導体と導電部材との接続抵抗をより小さくすることができる。
【００２１】
また本発明の液晶表示装置は、好ましくは、配線導体は接地用の配線導体であり、導電部材は接地電位とされていることから、安定した接地電位及び安定した接地構造を得ることができる。
【図面の簡単な説明】
【００２２】
【図１】図１は、本発明の液晶表示装置について実施の形態の１例を示す図であり、液晶表示装置を表示側の面と反対側の面（裏面）からみた斜視図である。
【図２】図２（ａ）〜（ｅ）は、それぞれ本発明の液晶表示装置について実施の形態の他例を示す図であり、（ａ）はかしめ爪及びその周辺の部位の正面の断面図、（ｂ）〜（ｅ）はかしめ爪の種々の例を示す平面図である。
【図３】図３（ａ）、（ｂ）は、それぞれ本発明の液晶表示装置について実施の形態の他例を示す図であり、かしめ爪及びその周辺の部位の正面の断面図である。
【図４】図４（ａ）〜（ｄ）は、それぞれ本発明の液晶表示装置について実施の形態の他例を示す図であり、（ａ）は螺子及びその周辺の部位の正面の断面図、（ｂ）〜（ｄ）は螺子及びその周辺の部位の種々の例を示す平面図である。
【図５】図５は、本発明の液晶表示装置について実施の形態の他例を示す図であり、螺子及びその周辺の部位の平面図である。
【図６】図６は、従来の液晶表示装置を表示側の面と反対側の面（裏面）からみた斜視図である。
【図７】図７は、図６の従来の液晶表示装置について、各構成部品を分解して示す分解斜視図である。
【発明を実施するための形態】
【００２３】
以下、本発明のＬＣＤの実施の形態について、図面を参照しながら説明する。但し、以下で参照する各図は、本発明のＬＣＤの実施の形態における構成部材のうち、本発明のＬＣＤを説明するための主要部を示している。従って、本発明に係るＬＣＤは、図に示されていない回路基板、配線導体、制御ＩＣ，ＬＳＩ等の周知の構成部材を備えていてもよい。
【００２４】
図１は、本発明のＬＣＤＬ１を表示側の面と反対側の面（裏面）からみた斜視図である。図１に示すように、本発明のＬＣＤＬ１は、バックライト装置２と、そのバックライト装置２の発光面側に設けられた液晶表示パネルと、バックライト装置２及び液晶表示パネルの側部を覆う枠体１と、液晶表示パネル及びバックライト装置２に信号を入出力するための可撓性回路基板としての第１のＦＰＣ１１、第２のＦＰＣ１２及び第３のＦＰＣ１３と、を有するＬＣＤＬ１であって、バックライト装置２は、発光面と対向する反発光面に導電部材としての導体板１４を有しており、第１のＦＰＣ１１は、導体板１４に伸びるように形成された、配線導体を備えた分岐部11aを有するとともに、分岐部11aが押圧部材としてのかしめ爪１５によって導体板１４に常時押圧力が付勢されて配線導体が導体板１４に電気的に接続されている構成である。この構成により、第１のＦＰＣ１１の分岐部11aの配線導体をバックライト装置２の導体板１２に機械的に強固に押圧固定するとともに確実に電気的に接続することができる。その結果、固定力及び接続抵抗がＬＣＤＬ１によってばらつかないとともに、経時的に固定力が低下しないものとなる。また、分岐部11aの配線導体の導体板１４に対する接続抵抗を小さくすることができる。また、必要に応じて分岐部11aを導体板１４から取り外すことができる。なお、図１において、液晶表示パネルは、従来例を示す図６、図７と同様に、枠体１の内側にあるために図示していない。
【００２５】
本発明のＬＣＤＬ１において、導電部材としては、導体板１４に限らず、金属、合金等の導体から成るか導体を含む導電性を有するものであって、板状体、直方体等の立体等の種々の形状のものが採用し得る。また、押圧部材としては、かしめ爪１５に限らず、螺子、ばね等の弾性体等の機械的な押圧力を常時加えることが可能な部材であれば採用し得る。
【００２６】
第１のＦＰＣ１１の分岐部11aは、第１のＦＰＣ１１の本体部から枝分かれするように形成されているものであり、第１のＦＰＣ１１の本体部の側辺部、角部等に形成される。あるいは、第１のＦＰＣ１１の本体部の面から枝分かれするように形成されていてもよい。
【００２７】
本発明のＬＣＤＬ１は以下のような基本構成を有する。ＬＥＤ等の発光素子を多数有する直方体状のバックライト装置２と、そのバックライト装置２の発光面側に設置される液晶表示パネルと、バックライト装置２及び液晶表示パネルの側部を覆ってそれらを内部に固定する、亜鉛（Ｚｎ）メッキ鋼材，アルミニウム（Ａｌ），ステンレススチール等の金属、合金から成る枠体１と、を有している。またＬＣＤＬ１は、液晶表示パネル及びバックライト装置２に駆動信号等を入出力する第１のＦＰＣ１１と、バックライト装置２の発光面に対向する反対側の面である反発光面２ｂに実装される第２のＦＰＣ１２と、第１のＦＰＣ１１の信号線と第２のＦＰＣ１２に搭載されたＩＣ等の電子回路部品12a等とを電気的に接続するための第３のＦＰＣ１３と、を有している。
【００２８】
枠体１は、少なくとも一つの側壁１ｓの両端部の下端に鉤状の切欠部１ａ及びその切欠部１ａの切欠き残部から成るかしめ爪１ｂが形成されている。バックライト装置２は、側壁１ｓに対応する側面にかしめ爪１ｂが折り込まれる凹部２ａが形成されている。枠体１は、側壁１ｓに対向する側壁にも切欠部１ａ及びかしめ爪１ｂが形成されていてもよい。また、枠体１の全ての側壁に切欠部１ａ及びかしめ爪１ｂが形成されていてもよい。
【００２９】
第１のＦＰＣ１１は、一端側が液晶表示パネルのＩＣ，ＬＳＩ等の駆動用集積回路素子等に電気的に接続され、他端側が外部の駆動回路基板等の信号線等に電気的に接続される。また第２のＦＰＣ１２は、バックライト装置２の駆動、制御等を行う電子回路部品12a等を搭載している。第２のＦＰＣ１２のバックライト装置２側の面が、両面接着テープ等によって、バックライト装置２の反発光面２ｂに積層設置されたＡｌ等から成る導体板１４に接着されている。
【００３０】
導体板１４は、反発光面２ｂに積層された、反発光面２ｂの面積の９０％以上の面積を有するものから成ることが好ましい。この場合、導体板１４がバックライト装置２の保護部材、放熱部材、電磁遮蔽部材及び接地部材として機能する有用なものとなる。
【００３１】
本発明のＬＣＤＬ１は、図１、図２に示すように、押圧部材は、反発光面２ｂから突出する枠体１の延出部から成るとともに一端が自由端とされているかしめ爪１５であり、分岐部11aがかしめ爪１５の一端によって導電部材に押圧されていることが好ましい。この場合、別個の押圧部材を用いる必要がなく、枠体１の延出部から成る簡易な構成のかしめ爪１５によって分岐部11aの配線導体を導電部材に押圧固定することができる。また、分岐部11aの配線導体を枠体１に電気的に接続して接地をとること等も行うことができる。このかしめ爪１５は、アーチ状のものであって、その一端に分岐部11aに面接触する平板部１６を有していることが好ましい。この場合、分岐部11aが反発光面２ｂにより強固に押圧固定される。なお、かしめ爪１５は、アーチ状のものに限らず、先端部のかしめ足を反発光面２ｂ側にかしめることが可能なものであればよく、鉤状（横Ｌ字状）等の形状のかしめ爪であってもよい。
【００３２】
また本発明のＬＣＤＬ１は、分岐部11aの配線導体は接地用の配線導体であり、導電部材は接地電位とされていることが好ましい。この場合、安定した接地電位及び安定した接地構造を得ることができる。例えば、接地用の配線導体が導体板１４に直接的に接触した状態で分岐部11aを押圧固定することができる。その結果、接地用の配線導体と導体板１４との接続抵抗をより小さくすることができる。
【００３３】
また本発明のＬＣＤＬ１は、可撓性回路基板は、フレキシブルプリント回路基板（ＦＰＣ）であることが好ましい。この場合、分岐部11aをかしめ爪１５に向けて容易に曲げ加工することができる。
【００３４】
図２（ａ）〜（ｅ）は、それぞれ本発明のＬＣＤＬ１について実施の形態の各種例を示すものであり、（ａ）はかしめ爪１５及びその周辺の部位の正面の断面図、（ｂ）〜（ｅ）はかしめ爪１５の種々の例を示すものであり、（ａ）の矢印（白抜き矢印）の側からみた平面図である。なお図２は、反発光面２ｂ上に導体板１４を積層して設けた例を示している。図２（ａ）に示すように、アーチ状のかしめ爪１５の一端が自由端であり、（ｂ）の矢印（点線矢印）に示すように、かしめ爪１５の一端の側が導体板１４の面に沿ってその面の内側に向けてかしめられる。かしめ爪１５の一端には平板部１６があり、平板部１６が分岐部11aに面接触して導体板１４の面に押圧固定する。分岐部11aの先端部の導体板１４側の面に、必ずしも必要ではないが導電性接着剤等の導電性接合材11bが設けられていてもよい。即ち、分岐部11aは、導電部材に押圧される部位が導電性接合材11bによって導電部材に接合されていることがよい。この場合、押圧部材による押圧力に加えて導電性接合材11bの接合力を併せることができる。その結果、分岐部11aの配線導体11cを導電部材により強固かつ確実に押圧固定することができ、配線導体11cと導電部材との接続抵抗をより小さくすることができる。導電性接合材11bは、異方性導電膜（Anisotropic  Conductive  Film  ：ＡＣＦ）、導電性接着剤、導電性テープ等の導電性を有して接合できるものであれば採用し得る。特に導電性接合材11bがＡＣＦ等の比較的接合力が弱いものからなる場合、押圧力を併用する本発明の構成が有用であり、好適である。また導電性接合材11bが導電性接着剤である場合、分岐部11aが導体板１４に強固に押圧固定されるので、導電性接合材11bをきわめて薄く形成してもよく、その場合導電性接合材11bの接着性、導電接続性が劣化しにくくなる。
【００３５】
図２（ｃ）は、平面視形状が四角形状の平板部16bにおいて、その角部を曲線状とした構成である。この場合、かしめ爪１５をかしめる際に、平板部16bの角部が導体板１４の面、分岐部11aに接触してもかしめる動作の障害となりにくくなる。図２（ｄ）は、平面視形状が四角形状の平板部16cにおいて、導体板１４の面の内側に向かって幅が大きくなっている台形状とされた構成である。この場合、分岐部11aを押圧する平板部16cの面積が大きくなり、分岐部11aがより強固に押圧固定される。図２（ｅ）は、平面視形状が略半円形状等の部分円形状の平板部16dにおいて、導体板１４の面の内側の部位に幅が大きくなる部位を有する構成である。この場合、かしめ爪１５をかしめる際に、平板部16dが導体板１４の面、分岐部11aに接触してもかしめる動作の障害となりにくくなるとともに、分岐部11aを押圧する平板部16dの面積が大きくなり、分岐部11aがより強固に押圧固定される。
【００３６】
図３（ａ）、（ｂ）は、本発明のＬＣＤＬ１について実施の形態の各種例を示すものであり、それぞれかしめ爪１５及びその周辺の部位の正面の断面図である。（ａ）は、平板部16eの導体板１４側の面（下面）が曲面状の凸面となっている構成である。この場合、平板部16eによって分岐部11aをより強固に押圧固定することができる。また、かしめ爪１５をかしめる際に、平板部16eの下面が導体板１４の面、分岐部11aに接触してもかしめる動作の障害となりにくくなる。（ｂ）は、平板部16fの導体板１４側の面（下面）に凹凸または複数の凸部が形成されている構成である。この場合、平板部16fの下面の摩擦力が高まり、平板部16fによって分岐部11aを押圧固定した後に分岐部11aがずれることを抑えることができる。
【００３７】
本発明のＬＣＤＬ１において、分岐部11aはかしめ爪１５によって機械的に押圧固定されているので、かしめ爪１５をかしめる前の位置に若干戻したり、平板部１６を導体板１４の面から若干浮かすことにより、修理等のために必要に応じて分岐部11aを導体板１４の面から取り外すこともできる。
【００３８】
またかしめ爪１５は、その一端が平面視において幅広になっている幅広部とされていてもよい。この場合、幅広部が平板部１６と同様に機能する。
【００３９】
またかしめ爪１５は、その一端に平板部１６を有していなくてもよく、かしめ爪１５の一端の先端面によって分岐部11aを押圧固定してもよい。その場合、かしめ爪１５の一端の先端面に接着剤を設けて、分岐部11aに先端面を接着させてもよい。また、先端面を粗面としたり、先端面に凹凸を形成して、分岐部11aに対する先端面の摩擦力を高めることもできる。また、先端面にゴム層等の高摩擦材層を形成しても同様の効果が得られる。
【００４０】
また、かしめ爪１５は、バックライト装置２の液晶表示パネルと反対側の反発光面２ｂまたは導体板１４の面から２．０ｍｍ〜３．０ｍｍ程度突出しており、かしめ爪１５の寸法は縦３．０ｍｍ、横８．０ｍｍ程度である。さらにかしめ爪１５の形状は、図２、図３に示す四角形状に限らず、半円形状等の形状であってもよい。
【００４１】
図４（ａ）〜（ｄ）は、それぞれ本発明のＬＣＤＬ１について実施の形態の他例を示す図であり、（ａ）は押圧部材としての螺子１７及びその周辺の部位の正面の断面図、（ｂ）〜（ｄ）は（ａ）の矢印（白抜き矢印）方向から螺子１７及びその周辺の部位をみた、螺子１７及びその周辺の部位の種々の例を示す平面図である。（ａ）、（ｂ）に示すように、押圧部材は螺子１７であり、分岐部11aに形成された貫通孔を通して導体板１４の螺子穴に螺子１７がねじ込まれることによって、分岐部11aが導体板１４に押圧されていることが好ましい。この場合、分岐部11aの配線導体11cを導体板１４により強固かつ確実に押圧固定することができる。その結果、配線導体11cと導体板１４との接続抵抗をより小さくすることができる。また、分岐部11aの配線導体11cを導体板１４から必要に応じて取り外すことが容易にできる。
【００４２】
図４（ｃ）は、分岐部11aに形成された貫通孔11dが、分岐部11aの長手方向に長軸を有する長円状、楕円状等の長孔状のものである。この場合、分岐部11aをその長手方向に位置調整をしてから分岐部11aを螺子止めでき、好ましい。（ｄ）は、枠体１の延出部である片部１８の貫通孔に螺子１７を通して、片部１８の下方の分岐部11aを螺子１７によって、片部１８とともに押圧固定する構成である。この場合、分岐部11aに対する押圧固定の面積が増大するので、より安定的に押圧固定することができ、また枠体１に配線導体11cを接地等のために電気的に接続することも可能となる。
【００４３】
図５は、本発明のＬＣＤＬ１について実施の形態の他例を示す図であり、螺子１７及びその周辺の部位の平面図である。即ち、導体板１４上に設置された他の硬質の回路基板１９の貫通孔に螺子１７を通して、回路基板１９の下方の分岐部11aを螺子１７によって、回路基板１９とともに押圧固定する構成である。この場合、分岐部11aに対する押圧固定の面積がさらに増大するので、より安定的に押圧固定することができる。また、回路基板１９の接地を螺子１７及び配線導体11cを介してとることもできる。図４、図５の構成において、必ずしも必要ではないが導電性接合材11bが分岐部11aの先端部の導体板１４側の面に設けられていてもよい。
【００４４】
なお、本発明のＬＣＤは、上記実施の形態に限定されるものではなく、適宜の設計的な変更、改良を含んでいてもよい。
【産業上の利用可能性】
【００４５】
本発明のＬＣＤは各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、ヘッドアップディスプレイ装置、プロジェクタ装置、デジタル表示式腕時計などがある。
【符号の説明】
【００４６】
１  枠体
２  バックライト装置
２ａ  バックライト装置の反発光面
１１  第１のＦＰＣ
１１ａ  分岐部
１２  第２のＦＰＣ
１２ａ  電子回路部品
１３  第３のＦＰＣ
１４  導体板
１５  かしめ爪
１６  平板部
Ｌ１  液晶表示装置（ＬＣＤ）
【図１】
2016102991.tif 000003
【図２】
2016102991.tif 000004
【図３】
2016102991.tif 000005
【図４】
2016102991.tif 000006
【図５】
2016102991.tif 000007
【図６】
2016102991.tif 000008
【図７】
2016102991.tif 000009